【事件の表示】
　特許第３０１７７５０号「水晶振動子」の請求項１に係る特許に対する特許異議の申立てについて、次のとおり決定する。
【結　論】
　訂正を認める。
　特許第３０１７７５０号の請求項１に係る特許を維持する。
【理　由】
１．手続の経緯
　本件特許第３０１７７５０号の請求項１に係る発明についての出願は、平成１年４月３０日に特許出願され、平成１１年１２月２４日にその発明について特許権の設定登録がなされ、その後、その特許について、異議申立人キンセキ株式会社より特許異議の申立てがなされ、取消の理由が通知され、その指定期間内である平成１３年３月１３日に訂正請求がなされたものである。
　
２．訂正の適否
（１）訂正の内容
　特許権者が求めている訂正の内容は以下のａ乃至ｅのとおりである。
ア．訂正事項ａ
　特許請求の範囲の請求項１について、「基台」を「容器の一部を形成するセラミック製の基台」に、「凹部を有する保持用水晶板」を「凹部を有する矩形状の保持用水晶板」に、「矩形状の振動子用水晶片」を「両主面の励振電極から長手方向の反対方向となる両端外周部に引出電極の延出した矩形状の振動子用水晶片」に、「前記保持用水晶板の両端部を前記基台上に固着し」を「前記保持用水晶板の短手方向の両端部を前記基台上に固着し」に、「前記振動子用水晶片を前記保持用水晶板の凹部に対向させて」を「前記保持用水晶板と前記振動子用水晶片との長手方向を一致させるとともに前記振動子用水晶片を前記保持用水晶板の凹部に対向させて」に、「前記保持用水晶板の固着される両端部を結ぶ固着方向と前記振動子用水晶片の固着される長手方向の両端部を結ぶ固着方向とを直交方向にした」を「前記基台に固着される前記保持用水晶板の短手方向の両端部を結ぶ固着方向と、前記保持用水晶板に固着される前記振動子用水晶片の長手方向の両端部を結ぶ固着方向とを直交方向にした」に、それぞれ訂正する。
イ．訂正事項ｂ
　明細書第３頁第２行乃至第６行目の「このようなものでは、導電性接着剤により直接振動子用水晶片４を保持用水晶板３に対面させて固着したので、例えば第３図に示したように、保持用のサポータ９を除去してその高さ寸法を縮小できる。」を、「このようなものでは、導電性接着剤により直接振動子用水晶片４を保持用水晶板３に対面させて固着する。したがって、例えば第３図に示したような金属ベース２に振動子用水晶片４の板面を垂直方向にして保持する場合に比較し、保持用のサポータ９を除去してその高さ寸法を縮小できる。」に訂正する。
ウ．訂正事項ｃ
　明細書第７頁第１３行乃至第１６行目の「上記実施例では、保持用水晶板１１は短手方向の両端部を基台１０に固着したが、この両端を結ぶライン（Ｚ−Ｚ）上としてもさらにこのラインを長手方向に移動したとしてもその効果は充分に期待できる。」を「上記実施例では、保持用水晶板１１は短手方向の両端部を基台１０に固着したが、固着位置は両端部のみならず両端を結ぶ第１図（ａ）で示すライン（Ｚ−Ｚ）上としても、さらにこのライン（Ｚ−Ｚ）を長手方向の中央部分のみならず長手方向の両端側に移動したとしてもその効果は充分に期待できる。」に訂正する。
エ．訂正事項ｄ
　明細書第８頁７行乃至１１行目の「また、振動子用水晶片４はＸ軸方向に細長い矩形状としたが、例えばＺ′軸方向に細長くした矩形状であってもあるいは正方形、円板状型であっても基本的にはその形状に左右されず実施できるものである。」を「また、振動子用水晶片４はＸ軸方向に細長い矩形状としたが、例えばＺ′軸方向に細長くした矩形状であっても実施できるものである。」に訂正する。
オ．訂正事項ｅ
　明細書第８頁１５行乃至１７行目の「さらに基台１０はセラミック製の容器の一部としたが、これに限らず金属ベースであってもよいことは勿論で、」を削除する。
（２）訂正の目的の適否、新規事項の有無、及び、拡張・変更の存否
　上記訂正事項ａに関連して、「容器の一部を形成するセラミック製の基台」は、願書に添付した明細書（以下、「特許明細書」という。）の第５頁４〜５行目に「容器の一部となるセラミック製の基台１０」と記載されている。
　同じく、「凹部を有する矩形状の保持用水晶板」は、特許明細書第５頁６〜８行目に「保持用水晶板１１と振動子用水晶片は・・（中略）・・その形状を矩形状とする」と記載され、また、同頁１２〜１４行目に「ハーフエッチングにより一方の主面側にその両端部を除いて深さ５ｍｍ以下の穴１２を形成して凹部状に形成する」と記載されている。
　同じく、「両主面の励振電極から長手方向の反対方向となる両端外周部に引出電極の延出した矩形状の振動子用水晶片」は、特許明細書第２頁１２〜１５行目に「振動子用水晶片４は例えばｘ軸方向に細長い矩形状とし、両主面の振動電極７からそれぞれ反対方向の両端外周部に引き出し電極８を延出する」と記載されている。
　同じく、「前記保持用水晶板と前記振動子用水晶片との長手方向を一致させるとともに前記振動子用水晶片を前記保持用水晶板の凹部に対向させて」は、特許明細書第５頁１８〜１９行目に「振動子用水晶片４は長手方向　（及び短手方向）を保持用水晶片１１に一致させ」と記載されている。
　同じく、「前記基台に固着される前記保持用水晶板の短手方向の両端部を結ぶ固着方向と、前記保持用水晶板に固着される前記振動子用水晶片の長手方向の両端部を結ぶ固着方向とを直交方向にした」は、特許明細書第５頁１５〜１６行目の「保持用水晶板１１は他方の主面側の短手方向の両端側であって長手方向の中央部分を基台１０に接着剤１３により固着される。」と記載され、また、同第６頁２〜５行目に「基台１０と保持用水晶片１１の固着方向（図中のＸ−Ｘ線方向）と保持用水晶片１１と振動子用水晶片４の固着方向（同Ｚ−Ｚ線方向）とを直交する方向にする」と記載されている。
　上記訂正事項ａは、発明を特定する「基台」、「保持用水晶片」及び「振動子用水晶片」を限定するものであるから特許請求の範囲の減縮に該当するものであるとともに平成１２年１２月２６日付け取消理由通知書の理由Ｂの３で指摘された明瞭でない記載の釈明に該当する。また、訂正事項ｂ乃至ｅは、同取消理由通知書の理由Ｂの１〜４で指摘された明瞭でない記載の釈明に該当する。
　そして、いずれも新規事項の追加に該当せず、実質的に特許請求の範囲を拡張し、又は変更するものでもない。
（３）むすび
　したがって、上記訂正は、特許法第１２０条の４第２項及び同条第３項で準用する特許法第１２６条第２項乃至第３項の規定に適合するので、当該訂正を認める。
　
３．特許異議の申立てについて
（１）本件発明
　本件請求項１に係る発明（以下、本件発明という。）は、平成１３年３月１３日付け訂正明細書の特許請求の範囲の請求項１に記載された次のとおりのものである。
「容器の一部を形成するセラミック製の基台と、凹部を有する矩形状の保持用水晶板と、両主面の励振電極から長手方向の反対方向となる両端外周部に引出電極の延出した矩形状の振動子用水晶片とを具備し、前記保持用水晶板の短手方向の両端部を前記基台上に固着し、前記保持用水晶板と前記振動子用水晶片との長手方向を一致させるとともに前記振動子用水晶片を前記保持用水晶板の凹部に対向させて両主面間に間隙を設け、前記振動子用水晶片の長手方向の両端外周部を前記保持用水晶板上に固着した水晶振動子であって、前記基台に固着される前記保持用水晶板の短手方向の両端部を結ぶ固着方向と、前記保持用水晶板に固着される前記振動子用水晶片の長手方向の両端部を結ぶ固着方向とを直交方向にしたことを特徴とする水晶振動子。」
（２）申立ての理由の概要
　異議申立人キンセキ株式会社は、本件発明は下記刊行物に記載された発明に基いて当業者が容易に発明をすることができたものであるから、特許法第２９条第２項の規定により特許を受けることができない発明であって、本件発明に係る特許は取り消されるべき旨主張している。
　甲第１号証：実公昭６３−９１３９号公報
　甲第２号証：特開昭５６−３５５２２号公報
（３）刊行物に記載された発明
　甲第１号証の実用新案登録請求の範囲には、「圧電板の両主面にそれぞれ励振電極と、該励振電極から該圧電板の周辺に向かって引出した引出電極とを配置し、該圧電板の輪かく寸法より大きい輪かく寸法を有する絶縁板の周辺部に導電部を形成し、該圧電板と該絶縁板とが互に主面を平行にし、該導電板の２つの部分が該引出電極と該絶縁板を支持する金属支持具とにそれぞれ電気的兼機械的接続し、かつ、該引出電極の接続箇所を結ぶ線と該金属支持具の接続箇所を結ぶ線とが９０°±２０°の角度をなしていることを特徴とする圧電振動子の支持装置」が記載されている。そして、その考案の詳細な説明には、「水晶板１は、・・・その励振電極２，３から水晶板１の周辺に向かって引出された引出電極４，５を真空蒸着またはスパッタ等により配置し、この引出電極４，５はベース８の平面に対して垂直方向に配列されている。」（第３欄４〜１１行目）、「絶縁板１６は、水晶板１と同一物質またはセラミック、エポキシ樹脂当の物質を励振電極２，３に対向する部分においてくりぬいたドーナツ板状に成形したものであり、水晶板１の引出電極４，５の端部との接続箇所からこの絶縁板のクリップピン６，７による支持箇所まで金属膜または導電接着剤等を形成してなる導電部１７，１８を具備している。」（第３欄１２〜１９行目）、「絶縁板１６が水晶板と同程度の熱膨張係数を有する物質（例えば水晶と同一物質、セラミックなど）であれば、クリップピンの温度係数がいかなる値であろうとも、支持系の温度特性の影響を受けることなく、水晶振動子の周波数温度特性を更に向上させることができる。」（第３欄３８〜４３行目）と記載されている。
　また、甲第２号証には、矩形状の水晶片１６を複数の水晶片支持部材１５，１５’によってその長手方向両端部を端子台に固着することにより小型化した水晶振動子が記載されている（第７図乃至第９図）。
（４）対比、判断
　本件発明と甲第１号証に記載された発明とを対比すると、甲第１号証に記載された発明の「圧電板」及び「絶縁板」が本願発明の「振動子用水晶片」、「保持用水晶板」に対応するから、両者は、振動子用水晶片（圧電板）と保持用水晶板（絶縁板）との両主面を間隙を設けて対向させるとともに、振動子用水晶片（圧電板）の保持用水晶板（絶縁板）への固着方向と保持用水晶板（圧電板）の支持部材（本件発明では「基台」、甲第１号証では「支持具」）への固着方向を直交方向にする点、及び、保持用水晶板（絶縁板）と振動子用水晶片（圧電板）の熱膨張係数が同等である点で一致するものの、本件発明が、凹部を有する矩形状の保持用水晶板を具備し、前記保持用水晶板の短手方向の両端部を前記基台上に固着し、前記保持用水晶板と前記振動子用水晶片との長手方向を一致させ、前記振動子用水晶片の長手方向の両端外周部を前記保持用水晶板上に固着しているのに対し、甲第１号証に記載される発明では、圧電板の引出電極の方向が基板に垂直方向となるようにリング状の絶縁板に電気的兼機械的に接続され、該リング状の絶縁板は（ベースに固定した端子に接合される）金属支持具に電気的兼機械的接続されて支持されている点で相違する。
　この相違点について検討すると、甲第２号証に、矩形状の振動子用水晶片を複数の支持部材を用いる端子台に固着する支持構造が記載されているが、該複数の支持部材は、矩形状の振動子用水晶片の長手方向両端部を端子台に固定するものであるから、本件発明の上記相違点に係る構成を示唆するものではない。そして、本件発明は上記構成を備える点により明細書記載の効果を奏するものである。
　したがって、本件請求項１に係る発明は、甲第１号証及び甲第２号証に記載された発明に基づいて当業者が容易に発明をすることができたものではない。
　
４．むすび　
　以上のとおりであるから、本件発明の特許は、異議申立ての理由及び証拠によっては取り消すことができない。
　また、他に本件発明の特許を取り消すべき理由を発見しない。
　よって、結論のとおり決定する。
【異議決定日】
平成１３年６月５日（２００１．６．５）
【訂正の要旨】
訂正の要旨
１．特許請求の範囲の記載「基台と、凹部を有する保持用水晶板と、矩形状の振動子用水晶片とを具備し、前記保持用水晶板の両端部を前記基台状に固着し、前記振動子用水晶片を前記保持用水晶板の凹部に対向させて両主面間に間隙を設け、前記振動子用水晶片の長手方向の両端外周部を前記保持用水晶板上に固着した水晶振動子であって、前記保持用水晶板の固着される両端部を結ぶ固着方向と前記振動子用水晶片の固着される長手方向の両端部を結ぶ固着方向とを直交方向にしたことを特徴とする水晶振動子。」を
「容器の一部を形成するセラミック製の基台と、凹部を有する矩形状の保内持用水晶板と、両主面の励振電極から長手方向の反対方向となる両端外周部に引出電極の延出した矩形状の振動子用水晶片とを具備し、前記保持用水晶板の短手方向の両端部を前記基台上に固着し、前記保持用水晶板と前記振動子用水晶片との長手方向を一致させるとともに前記振動子用水晶片を前記保持用水晶板の凹部に対向させて両主面間に間隙を設け、前記振動子用水晶片の長手方向の両端外周部を前記保持用水晶板上に固着した水晶振動子であって、前記基台に固着される前記保持用水晶板の短手方向の両端部を結ぶ固着方向と、前記保持用水晶板に固着される前記振動子用水晶片の長手方向の両端部を結ぶ固着方向とを直交方向にしたことを特徴とする水晶振動子。」に訂正する。
２．明細書第３頁第２行乃至第６行目の「このようなものでは、導電性接着剤により直接振動子用水晶片４を保持用水晶板３に対面させて固着したので、例えば第３図に示したように、保持用のサポータ９を除去してその高さ寸法を縮小できる。」を
「このようなものでは、導電性接着剤により直接振動子用水晶片４を保持用水晶板３に対面させて固着する。したがって、例えば第３図に示したような金属ベース２に振動子用水晶片４の板面を垂直方向にして保持する場合に比較し、保持用のサポータ９を除去してその高さ寸法を縮小できる。」に訂正する。
３．明細書第７頁第１３行乃至第１６行目の「上記実施例では、保持用水晶板１１は短手方向の両端部を基台１０に固着したが、この両端を結ぶライン（Ｚ−Ｚ）上としてもさらにこのラインを長手方向に移動したとしてもその効果は充分に期待できる。」を
「上記実施例では、保持用水晶板１１は短手方向の両端部を基台１０に固着したが、固着位置は両端部のみならず両端を結ぶ第１図（ａ）で示すライン（Ｚ−Ｚ）上としても、さらにこのライン（Ｚ−Ｚ）を長手方向の中央部分のみならず長手方向の両端側に移動したとしてもその効果は充分に期待できる。」に訂正する。
４．明細書第８頁７行乃至１１行目の「また、振動子用水晶片４はＸ軸方向に細長い矩形状としたが、例えばＺ´軸方向に細長くした矩形状であってもあるいは正方形、円板状型であっても基本的にはその形状に左右されず実施できるものである。」を「また、振動子用水晶片４はＸ軸方向に細長い矩形状としたが、例えばＺ´軸方向に細長くした矩形状であっても実施できるものである。」に訂正する。
５．明細書第８頁１５行乃至１７行目の「さらに基台１０はセラミック製の容器の一部としたが、これに限らず金属ベースであってもよいことは勿論で、」を削除する。
（５４）【発明の名称】
水晶振動子
（５７）【特許請求の範囲】
　
容器の一部を形成するセラミック製の
矩形状の
両主面の励振電極から長手方向の反対方向となる両端外周部に引出電極の延出した
短手方向の
前記保持用水晶板と前記振動子用水晶片との長手方向を一致させるとともに
前記基台に固着される
短手方向の
、前記保持用水晶板に固着される
【発明の詳細な説明】
（発明の利用分野）
　本発明は発振子、フィルタ素子等としての水晶振動子を利用分野とし、特に水晶片と保持系との熱膨張係数の差によるストレスの影響を防止した薄型の水晶振動子に関する。
（発明の背景）
　水晶振動子は例えば発振子として周波数及び時間の基準源として種々の電子機器に多用される。近年では、これら電子機器の傾向に伴い小型、薄型で（表面実装に適し）、しかも熱膨張に起因した水晶振動子の周波数変化を防止したものが望まれている（参照公報：実公昭６２−４４５８０号）。
（従来技術）
　第２図はこの種の一従来例を説明する水晶振動子の図である。
　水晶振動子は一対のリード端子１が表面に突出した金属ペース２と、保持用水晶片３と、振動子用水晶片４とからなる。保持用水晶片３は長手方向の両端側に透孔５及びその部分にメタライズ電極６が形成される。そして、透孔５にリード端子１が嵌装してメタライズ電極６に接続するとともにペース表面上に固定される。振動子用水晶片４は例えぱｘ軸方向に細長い矩形状とし、両主面の励振電極７からそれぞれ反対方向の両端外周部に引き出し電極８を延出する。そして、保持用水晶板３と対向する面側の両端外周部を例えば導電性接着剤によりメタライズ電極上に固着した構成とする。但し、導電性接着剤（及びメタライズ電極）の厚みにより保持用水晶板３と振動子水晶片４との対向面間には空隙を存するようにし、振動子用水晶片４の励振を阻害しないものとする。
　このようなものでは、導電性接着剤により直接振動子用水晶片４を保持用水晶板３に対面させて固着
する。したがって、
金属ベース２に振動子用水晶片４の板面を垂直方向にして保持する場合に比較し、
（従来技術の問題点）
　しかしながら、上記構成の水晶振動子では、保持用水晶板３の両端外周部がリード線により固定される。したがって、保持用水晶板３はベースの熱膨張に強制され、本来の熱膨張係数に伴う特に長手方向の伸縮を阻害される（即ち、ストレスを生ずる）。このようなことから、実際には、保持用水晶板３に固着された振動子用水晶片４は、特に長手方向にストレスを生じて周波数変化を来し本来の温度特性を損ねてしまう問題があった。
（発明の目的）
　本発明は小型化に適し、熱膨張による周波数変化を防止して良好な温度特性の得られる水晶振動子を提供することを目的とする。
（解決手段及び作用）
　本発明は、基台（ベース）と保持用水晶片の固着方向と該保持用水晶片と振動子用水晶片の固着方向とを直交する方向にしたことを解決手段とする。そして、この解決手段により、基台と保持用水晶片の固着方向と直交する振動子用水晶片と保持用水晶板の固着方向は自由端となるので、この方向でのストレス発生を防止する作用がある。以下、本発明の実施例を説明する。
（実施例）
　第１図は本発明の一実施例を説明する水晶振動子の図で、同図（ａ）は斜視図、同図（ｂ）は同図（ａ）のＺ−Ｚ線上の断面図である。なお、前従来例と同一部分には同番号を付してその説明は簡略する。水晶振動子は例えば容器の一部となるセラミックス製の基台１０と、保持用水晶板１１と、振動子用水晶板４とからなる。保持用水晶板１１と振動子用水晶片４はともにＡＴカットとなる同一方位で切断され、その形状を矩形状とする。そして、長手方向を結晶軸（ｘ、ｙ、ｚ）のｘ軸、短手方向をｚ’軸、厚み方向をｙ’軸とする。保持用水晶板１１を振動子用水晶片４よりいずれの方向も大きくする。そして、ハーフエッチングにより一方の主面側にその両端部を除いて深さ５ｍｍ以下の穴１２を形成して凹部状に形成する。
　このようなものにおいて、保持用水晶板１１は他方の主面側の短手方向の両端側であって、長手方向の申央部分を基台１０に接着剤１３により固着される。振動子用水晶片４は長手方向（及び短手方向）を保持用水晶片１１に一致させ、励振電極７から引き出し電極８の延出した両端外周部を保持用水晶板１１の脚部上に導電性接着剤１４により固着する。すなわち、基台１０と保持用水晶片１１の固着方向（図中のＸ−Ｘ線方向）と保持用水晶片１１と振動子用水晶片４の固着方向（同Ｚ−Ｚ線方向）とを直交する方向にする。なお、基台１０及び保持用水晶板１１には振動子用水晶片４に接続する図示しない導電路が形成される。そして、例えばスルーホール加工により基台の容器表面に図示しない外部接続端子を形成し、更にカバーを被せて表面実装用とする。
　このようなものでは、保持用水晶板１１の凹部１２により、振動子水晶板片４との対向面間に空隙を存して振動子用水晶片４の励振を確実にできる。そして、保持用水晶板１１の短手方向のみを基台１０に固着したので、長手方向は自由端となる。したがって、長手方向では熱に対して伸縮自在となりストレスは生じない。また、振動子用水晶片４は長手方向を保持用水晶片１１の同方向に一致してその両端則を固着する。したがって、振動子用水晶片４の長手方向での伸縮は保持用水晶片１１の影響を受けるが、両者は同一材料で熱膨張系数が等しいので熱によるストレスは実質的に発生しない。また、この実施例では、保持用水晶板１１の短手方向を固定端とした影響（ストレスの発生）はあるが、保持用水晶板１１は振動子用水晶片４より同方向において大きいので、基板１０の歪みを吸収して振動子用水晶片４のストレスを軽減する。このようなことから、この構成の水晶振動子は熱膨張差に起因した周波数変化を防止するので、振動子用水晶片４の三次曲線となる温度特性を良好に維持することができる。
（他の事項）
　なお、上記実施例では、保持用水晶板１１は短手方向の両端部を基台１０に固着したが、
固着位置は両端部のみならず
（Ｚ−Ｚ）を長手方向の中央部分のみならず長手方向の両端則に
　また、振動子用水晶片４はＸ軸方向に細長い矩形状としたが、例えばＺ´軸方向に細長くした矩形状であっても実施できるものである。そして、振動子用水晶片４は発振子としたが、例えぱ多重モードを利用した所謂入出力電極及び共通電極等の複数対の電極を形成したＭＣＦ等にも適用できるものである。本発明はその他その趣旨を逸脱しない範囲内で適宜変更できるものである。
（発明の効果）
　本発明は、基台と保持用水晶片の固着方向と該保持用水晶片と振動子用水晶片の固着方向とを直交する方向にしたので、熱膨張による周波数変化を防止して良好な温度特性が得られて小型化に適した水晶振動子を提供でき、その利用価値は多大である。
【図面の簡単な説明】
　第１図は本発明の一実施例を説明する水晶振動子の図で、同図（ａ）は斜視図、同図（ｂ）はＸ−Ｘ線上の断面図である。
　第２図は従来例を説明する水晶振動子の分解斜視図、第３図は他の従来例を説明する水晶振動子の斜視図、第４図は水晶振動子の周波数温度特性図である。